(57)【特許請求の範囲】
【請求項１】
電線の端末部に接続される端子金具と、
前記端子金具が挿入されるキャビティを有するハウジング部と、
前記ハウジング部の後面側に配置され、前記キャビティと連通する位置にシール孔を有し、前記シール孔に、前記ハウジング部の後面から引き出された前記電線が液密に挿入されるシール部材と、
前記シール部材の後面側に配置され、前記シール孔と連通する位置に貫通孔を有し、前記貫通孔に、前記シール部材の後面から引き出された前記電線が遊嵌して挿入されるホルダと、
前記ホルダの後面側に対して開放位置から閉止位置へと回動可能とされ、前記閉止位置では、前記ホルダの後面側から引き出された前記電線を覆うように配置される電線カバーと、を備え、
前記電線カバーには、カバー側回動中心部が設けられ、
前記ホルダには、前記カバー側回動中心部を支持して、前記電線カバーの回動中心を構成するホルダ側回動中心部が設けられ、
前記カバー側回動中心部は、前記電線カバーに対をなして設けられ、
前記ハウジング部の後面には、前記ホルダを挟んで前記ホルダ側回動中心部とは反対側の位置で、且つ前記ホルダ側回動中心部を通る回動軸上の位置に、前記ホルダ側回動中心部と係合する前記カバー側回動中心部とは別のカバー側回動中心部を支持して、前記ホルダ側回動中心部とともに前記電線カバーの回動中心を構成するハウジング側回動中心部が設けられていることを特徴とするコネクタ。
【請求項２】
前記ハウジング部には、レバーを収容するレバー収容室が設けられ、前記ハウジング側回動中心部が、前記レバー収容室の周壁に一体に連結されていることを特徴とする請求項１記載のコネクタ。
【発明の詳細な説明】
【技術分野】
【０００１】
本発明は、コネクタに関する。
【背景技術】
【０００２】
特許文献１に開示のコネクタは、電線の端末部に接続された端子金具と、キャビティを有するハウジング部（端子収容部）と、ハウジング部の後面側に配置され、キャビティと連通する位置にシール孔を有するシール部材（一括ゴム栓）と、シール部材の後面側に配置され、シール孔と連通する位置に貫通孔を有するホルダ（ゴム栓ホルダ）と、ホルダの後面側から引き出された電線を覆うように配置される電線カバーと、を備えている。ハウジング部のキャビティには、貫通孔及びシール孔を通して端子金具が挿入される。キャビティに端子金具が正規挿入されると、シール孔に電線が液密に挿入されるとともに、貫通孔に電線が遊嵌して挿入されるようになっている。
【０００３】
また、電線カバー側に設けられた前側ガイド部及び後側ガイド部がそれぞれハウジング部側に設けられた前側ガイド溝及び後側ガイド溝に嵌合することにより、電線カバーがハウジング部に対して案内保持される。
【先行技術文献】
【特許文献】
【０００４】
【特許文献１】特開２０１３−２０７７４号公報
【発明の概要】
【発明が解決しようとする課題】
【０００５】
ところで、ハウジング部に対して電線カバーが開放位置と閉止位置との間を回動可能に支持され、閉止位置にて電線が覆われる構成とすることも可能である。このような回動型の電線カバーの場合、電線カバー側にカバー側回動中心部が設けられ、ハウジング部側にハウジング側回動中心部が設けられ、カバー側回動中心部がハウジング側回動中心部に支持された状態で、電線カバーが閉止位置へ向けて回動されるようにすることが考えられる。しかし、仮に、シール部材の後面側にハウジング側回動中心部とホルダとが互いに隣接して配置されるとすると、ハウジング側回動中心部とホルダとの間にクリアランスが設けられることになり、その分、コネクタが大型化するおそれがある。
【０００６】
本発明は上記のような事情に基づいて完成されたものであって、コネクタが大型化するのを防止することを目的とする。
【課題を解決するための手段】
【０００７】
本発明は、電線の端末部に接続される端子金具と、前記端子金具が挿入されるキャビティを有するハウジング部と、前記ハウジング部の後面側に配置され、前記キャビティと連通する位置にシール孔を有し、前記シール孔に、前記ハウジング部の後面から引き出された前記電線が液密に挿入されるシール部材と、前記シール部材の後面側に配置され、前記シール孔と連通する位置に貫通孔を有し、前記貫通孔に、前記シール部材の後面から引き出された前記電線が遊嵌して挿入されるホルダと、前記ホルダの後面側に対して開放位置から閉止位置へと回動可能とされ、前記閉止位置では、前記ホルダの後面側から引き出された前記電線を覆うように配置される電線カバーと、を備え、前記電線カバーには、カバー側回動中心部が設けられ、前記ホルダには、前記カバー側回動中心部を支持して、前記電線カバーの回動中心を構成するホルダ側回動中心部が設けられ、前記カバー側回動中心部は、前記電線カバーに対をなして設けられ、前記ハウジング部の後面には、前記ホルダを挟んで前記ホルダ側回動中心部とは反対側の位置で、且つ前記ホルダ側回動中心部を通る回動軸上の位置に、前記ホルダ側回動中心部と係合する前記カバー側回動中心部とは別のカバー側回動中心部を支持して、前記ホルダ側回動中心部とともに前記電線カバーの回動中心を構成するハウジング側回動中心部が設けられているところに特徴を有する。
【発明の効果】
【０００８】
電線カバーのカバー側回動中心部がホルダのホルダ側回動中心部に支持され、シール部材の後面側にホルダ側回動中心部と一体化したホルダがスペース効率良く配置されるため、コネクタが大型になるのが防止される。また、電線カバーの回動軸上の一方にホルダ側回動中心部が設けられ、他方にハウジング側回動中心部が設けられているため、仮に、ハウジング部の後面側に対してホルダが回動軸の中央を境として正規とは逆向きの姿勢で取り付けられようとすると、ホルダ側回動中心部とハウジング側回動中心部とが互いに干渉して、ホルダのそれ以上の取り付け動作が規制される。その結果、ホルダの誤組み付けが防止される。
【図面の簡単な説明】
【０００９】
【図１】本発明の実施例１のコネクタの断面図である。
【図２】ハウジングの背面図である。
【図３】ハウジングの底面図である。
【図４】ハウジングの側面図である。
【図５】電線カバーが開放位置にあるコネクタの底面図である。
【図６】電線カバーが閉止位置に至る直前のコネクタの底面図である。
【図７】ハウジング部の背面図である。
【図８】ハウジング部の底面図である。
【図９】電線カバーの側面図である。
【図１０】規制部材の側面図である。
【図１１】規制部材の正面図である。
【発明を実施するための形態】
【００１０】
本発明の好ましい形態を以下に示す。
【００１１】
前記ハウジング部には、レバーを収容するレバー収容室が設けられ、前記ハウジング側回動中心部が、前記レバー収容室の周壁に一体に連結されている。レバー収容室の周壁がハウジング側回動中心部によって補強されるため、レバー収容室に収容されるレバーの収容状態が安定する。
【００１２】
＜実施例１＞
本発明の実施例１を図１〜図１１によって説明する。実施例１のコネクタは、図１に示すように、ハウジング１０と、シール部材６０と、電線カバー７０と、規制部材９０と、端子金具１１０とを備えている。ハウジング１０はハウジング部１１とホルダ４０とからなり、ハウジング部１１とホルダ４０との間にシール部材６０が挟まれた状態で組み込まれるようになっている。そして、ハウジング１０は、図示しない相手ハウジングに嵌合可能とされている。なお、以下の説明において、前後方向については、嵌合開始時に相手ハウジングが位置する側を前方とし、上下方向については、図２及び図７を基準とする。
【００１３】
図１に示すように、ハウジング部１１は、略角ブロック状の端子収容部１２と、端子収容部１２の周りを取り囲む略角筒状の嵌合筒部１３と、後端部にて嵌合筒部１３と端子収容部１２とにつながる高さ方向に沿った板状の連結部１４とを有している。端子収容部１２と嵌合筒部１３との間で、且つ連結部１４の前方には、相手ハウジングが嵌合する嵌合空間１５が開放して設けられている。
【００１４】
端子収容部１２には、図７に示すように、複数のキャビティ１６が前後方向に貫通して設けられている。各キャビティ１６の内面には撓み可能なランス１７が突出して設けられている。端子収容部１２の各キャビティ１６には、後方から端子金具１１０が挿入され、正規挿入された端子金具１１０が、ランス１７によって弾性的に抜け止めされるようになっている。図１に示すように、端子金具１１０は導電性を有する金属板を曲げ加工等して一体に成形され、相手ハウジングに装着された図示しない相手端子金具に電気的に接続可能な箱形の接続部１１１と、接続部１１１の後方に連なって、電線２００の端末部に圧着により接続されるバレル部１１２とを備えている。
【００１５】
また、図１に示すように、端子収容部１２の下面には、幅方向にほぼ沿ったスリット孔状のリテーナ装着孔１８が開口して設けられている。リテーナ装着孔１８は、全キャビティ１６に通じる深さを有し、図３に示すように、嵌合筒部１３にも設けられている。リテーナ装着孔１８には図示しないリテーナが挿入され、リテーナが正規挿入されるに伴い、端子金具１１０がキャビティ１６内に二重に抜け止めされるようになっている。
【００１６】
図７に示すように、嵌合筒部１３の上壁には、幅方向に細長い袋状の周壁１９が設けられている。周壁１９の内部には、図示しないレバーを収容可能なレバー収容室２０が設けられている。レバー収容室２０は、嵌合筒部１３の上壁上面に沿うよう幅方向に延びつつ後方に開放されたスリット孔状をなしている。また、図４に示すように、周壁１９の後端は、連結部１４よりも後方に突出して配置されており、端子収容部１２の後面側に配置されるシール部材６０及びホルダ４０を上方から覆うことが可能とされている。なお、レバーは、相手ハウジングと係合した状態で、回動させられ、その回動操作によって発揮されるカム作用によって相手ハウジングをハウジング１０側に引き寄せて、両ハウジングの嵌合動作を進める役割をはたす。
【００１７】
図７に示すように、連結部１４の後面には、端子収容部１２の後面外周を取り囲む背面視略角環状の筒部２１が突出して設けられている。図１に示すように、筒部２１の内側には、シール部材６０が密嵌可能とされている。図７及び図８に示すように、筒部２１の外面のうち、幅方向に一対の短辺部２２と、下側の長辺部２３Ｄとには、複数のハウジング側係止部２４が突出して設けられている。各ハウジング側係止部２４は、それぞれ爪状をなし、両短辺部２２のそれぞれに１つずつ設けられるとともに、下側の長辺部２３Ｄの幅方向両側に対をなして設けられている。
【００１８】
また、図７に示すように、連結部１４の後面には、上側の長辺部２３Ｕと、それと対向する周壁１９の下面とに、一体につながるハウジング側回動中心部２５が設けられている。具体的には、ハウジング側回動中心部２５は、四角箱状をなし、その内側に、ハウジング部１１の幅方向中央側へ向けて開放された開放口を通して、後述するカバー側回動中心部７６の差し込み片７７が差し込まれて引っ掛け状態で係合するようになっている。
【００１９】
また、図７に示すように、連結部１４の後面には、筒部２１を挟んだ幅方向両端部のうちの一方の端部に、板片状のハウジング側ロック部２６が起立して設けられている。ハウジング側ロック部２６は、筒部２１の一方の短辺部２２と対向する板面を有し、その板面に、爪状のロック突起２７が設けられている。ロック突起２７は、筒部２１の一方の短辺部２２に設けられたハウジング側係止部２４と上下方向に位置ずれするように偏心して配置されている。そして、ハウジング側ロック部２６は、その板面が筒部２１から離間する方向に撓み変形可能とされている。
【００２０】
さらに、図１及び図７に示すように、連結部１４の後面には、ハウジング側ロック部２６とその撓み方向で対向する位置に、受け部２８が起立して設けられている。受け部２８は、ハウジング部１１の外縁の側方（図７の右側）に突出して配置されている。具体的には、受け部２８は、連結部１４とほぼ平行に配置される板片状の受け本体２９と、受け本体２９の上下両端から筒部２１側へ屈曲して短く延びる一対の保護部３０とからなり、断面門型に形成されている。両保護部３０は、ハウジング側ロック部２６を挟んだ上下両側で対をなし、ハウジング側ロック部２６及び規制部材９０を覆うように配置される。
【００２１】
図４に示すように、受け本体２９には、前後方向に延びて前方に開口するスリット溝状の受け側ロック部３１が設けられている。また、図１及び図７に示すように、受け部２８とハウジング側ロック部２６との間には、上下方向に延びつつ後方に開放された挿入空間３２が設けられている。挿入空間３２には、後方から規制部材９０が挿入可能とされている。なお、挿入空間３２は、ハウジング側ロック部２６の撓み空間でもある。
【００２２】
シール部材６０はシリコンゴム等のゴム製であって、図１に示すように、筒部２１の内側に嵌着されて端子収容部１２の後面に密着可能な扁平マット状をなしている。シール部材６０には、組み付け時に各キャビティ１６と前後方向に同軸で連通する位置に、複数のシール孔６１が貫通して設けられている。そして、シール部材６０の各シール孔６１の内周面には、複数条の内周リップ６２が周回して設けられている。また、シール部材６０の外周面には、複数条の外周リップ６３が周回して設けられている。シール部材６０がハウジング部１１に組み付けられると、筒部２１の内周面に各外周リップ６３が弾性的に密着するとともに、端子収容部１２のキャビティ１６から引き出された各電線２００の外周面に各内周リップ６２が弾性的に密着して、ハウジング部１１が液密にシールされるようになっている。
【００２３】
ホルダ４０は合成樹脂製であって、図１に示すように、筒部２１の後端開口縁に当接しつつシール部材６０の後面を覆うように配置されるホルダ本体４１と、ホルダ本体４１の外周縁から前方に突出して筒部２１の外周に外嵌される嵌合壁４２とからなる。図２に示すように、ホルダ本体４１には、組み付け時に各キャビティ１６及び各シール孔６１と前後方向に同軸で連通する位置に、複数の貫通孔４３が貫通して設けられている。各貫通孔４３は、端子金具１１０を挿通可能な断面矩形の開口形状とされ、その内部に、シール部材６０のシール孔６１から引き出された電線２００が遊嵌して挿入されるようになっている。なお、図２では、シール部材６０が省略されている。
【００２４】
図２に示すように、嵌合壁４２は、ホルダ本体４１の幅方向両端部に連なる両側壁４４と、ホルダ本体４１の下端部に連なる下側壁４５とからなり、全体として断面略Ｕ字形をなしている。つまり、嵌合壁４２は、ホルダ本体４１の上端部に連なる部分を有していない。これは、ホルダ４０の組み付け時にホルダ本体４１の上端部がハウジング側回動中心部２５の配設側に位置して、このハウジング側回動中心部２５に対してカバー側回動中心部７６が係合するためのスペースが必要とされるからである。
【００２５】
嵌合壁４２の両側壁４４と下側壁４５とには、図２及び図３に示すように、それぞれ、組み付け時に筒部２１の各ハウジング側係止部２４に係止されるホルダ側係止部４６が開口して設けられている。ホルダ側係止部４６は、ハウジング側係止部２４が嵌合可能な断面矩形の開口形状を呈している。また、嵌合壁４２の下側壁４５には、組み付け時にハウジング側回動中心部２５と上下方向（後述する電線カバー７０の回動軸方向）に同軸で対向する位置に、一対のホルダ側回動中心部４７が設けられている。ホルダ側回動中心部４７は、図５に示すように、ハウジング側回動中心部２５とほぼ同様の四角箱状をなし、図５に示すように、その内側に、ホルダ４０の幅方向中央側へ向けて開放された開放口４９を通して、後述するカバー側回動中心部７６の差し込み片７７が差し込まれて引っ掛け状態で係合するようになっている。また、ホルダ側回動中心部４７は、嵌合壁４２のホルダ側係止部４６と隣接して並列に配置されている。
【００２６】
電線カバー７０は合成樹脂製であって、全体として前方及び側方に開放されたキャップ状をなし、ホルダ側回動中心部４７及びハウジング側回動中心部２５を中心として、開放位置（図５及び図６を参照）と閉止位置（図１を参照）とに回動可能とされている。具体的には電線カバー７０は、図１及び図９に示すように、組み付け時にホルダ４０の後面と対向して配置される背板７１と、背板７１の上下両縁から前方に突出する一対の側板７２とからなる。図１に示すように、背板７１は、ホルダ４０の後面と平行して幅方向にほぼ沿って配置される部分から前後方向にほぼ沿って配置される部分にかけて、断面略Ｌ字形に屈曲する形態になっている。また、背板７１の一方の端部は、両側板７２と同様、前後方向にほぼ沿って配置され、組み付け時に、ホルダ４０の嵌合壁４２の側壁４４と受け部２８との間に嵌合状態で挿入可能な板状のカバー側ロック部７３として構成される。カバー側ロック部７３は、背板７１の一方の端部に、組み付け時にハウジング側ロック部２６のロック突起２７が嵌る断面矩形のロック孔７４が開口して設けられている。
【００２７】
図５に示すように、両側板７２の前端部には、カバー側ロック部７３との間に設けられた凹部７５を介して、一対のカバー側回動中心部７６が設けられている。カバー側回動中心部７６は、幅方向に沿った板片状をなし、カバー側ロック部７３から離れる方向となる幅方向他側へ短く突出する差し込み片７７を有している。なお、両側板７２のうち、カバー側回動中心部７６よりも幅方向他側の部分は開放されている。
【００２８】
続いて規制部材９０について説明すると、規制部材９０は同じく合成樹脂製であって、受け部２８とハウジング側ロック部２６との間に設けられた挿入空間３２に嵌合可能な板片状をなしている。具体的には規制部材９０は、図１０及び図１１に示すように、側面視略矩形の薄板状の規制本体９１と、規制本体９１の後端に沿って延びて上下両方向に張り出すリブ状の操作部９２とを有している。図１に示すように、規制本体９１の板面のうち、組み付け時に受け部２８の受け側ロック部３１と対向する面に、爪状のキー側ロック部９３が突出して設けられている。規制部材９０が挿入空間３２に正規挿入されると、キー側ロック部９３が受け側ロック部３１に弾性的に係止され、これによって規制部材９０が挿入空間３２に抜け止め状態で保持されるようになっている。さらに、規制本体９１の板面のうち、組み付け時に受け部２８の受け側ロック部３１と対向する面には、図１１に示すように、同面の上下両端部において前後方向に延びる一対の案内部９４が設けられている。案内部９４は、組み付け時に受け部２８の保護部３０とハウジング側ロック部２６との間に嵌合状態で挿入され、両案内部９４と規制本体９１とがハウジング側ロック部２６を抱きかかえるように配置される。
【００２９】
次に、実施例１の作用効果を説明する。
組み付けに際し、筒部２１内にシール部材６０が嵌合状態で挿入され、端子収容部１２の後面にシール部材６０が当接して配置される。続いて、筒部２１にホルダ４０が被せ付けられ、シール部材６０の後面にホルダ本体４１が当接して配置されるとともに、嵌合壁４２の拡開動作を伴った後、筒部２１の各ハウジング側係止部２４に、対応するホルダ側係止部４６が弾性的に係止されて、ホルダ４０がハウジング部１１に抜け止め保持される。
【００３０】
その状態で、端子収容部１２の各キャビティ１６内に端子金具１１０が挿入される。この場合、端子金具１１０はホルダ４０の貫通孔４３からシール部材６０のシール孔６１を経てキャビティ１６内に至り、シール孔６１には電線２００が液密に挿入され、貫通孔４３には電線２００が遊嵌して挿入される。
【００３１】
続いて、ハウジング１０に対して側方から斜め姿勢の電線カバー７０が装着され、ハウジング側回動中心部２５の内側及びホルダ側回動中心部４７の内側に、開放口４９を通して、両カバー側回動中心部７６の差し込み片７７が差し込まれる（図５を参照）。その状態で、ハウジング側回動中心部２５の内側及びホルダ側回動中心部４７の内側で差し込み片７７を傾動させながら、これら回動中心部２５、４７、７６を支点として、電線カバー７０が閉止位置へ向けて回動させられる（図５及び図６を参照）。
【００３２】
電線カバー７０が閉止位置に至ると、カバー側ロック部７３がハウジング側ロック部２６に弾性的に係止されて、電線カバー７０がハウジング１０に保持される（図１を参照）。閉止位置では、電線カバー７０の前端のほぼ全縁が連結部１４の後面に当接して配置されるとともに、ホルダ４０の各貫通孔４３から引き出された電線２００が背板７１によって強制的に屈曲させられ、各電線２００が背板７１に沿って外部へ導出させられる。また、閉止位置では、電線カバー７０の両凹部７５の内側に、それぞれカバー側回動中心部７６に係合されない他のハウジング側回動中心部２５及びホルダ側回動中心部４７が進入して逃がされる。なお、カバー側回動中心部７６に係合されない他のハウジング側回動中心部２５及びホルダ側回動中心部４７は、実施例１とは反対側にハウジング側ロック部２６及び受け部２８が配設された図示しない他のコネクタに適用され、その他のコネクタに備わる電線カバー７０のカバー側回動中心部７６と係合可能となっている。
【００３３】
続いて、ハウジング側ロック部２６と受け部２８との間における挿入空間３２に、操作部９２を摘みながら規制部材９０が差し込まれる（図１を参照）。規制部材９０が挿入空間３２に正規挿入されると、キー側ロック部９３が受け側ロック部３１に係止されるとともに、その係止される面とは反対側の面で、ハウジング側ロック部２６の板面に規制部材９０の規制本体９１が当接可能に配置される。これにより、ハウジング側ロック部２６の撓み動作が規制され、もって電線カバー７０がハウジング１０にその離脱を規制された状態で確実に保持される。
【００３４】
上記の場合、仮に、ハウジング側ロック部２６にカバー側ロック部７３が正規状態で係止されずに半掛かりの状態で留め置かれていると、規制部材９０が挿入空間３２に挿入される動作が規制されるため、これをもって電線カバー７０が閉止位置に正しく至っていないことを知ることができる。
【００３５】
以上説明したように、実施例１によれば、カバー側ロック部７３とハウジング側ロック部２６とが互いに係止し合うことにより、電線カバー７０がハウジング１０に保持される。その状態で、ハウジング側ロック部２６の撓み空間となる挿入空間３２に、規制部材９０が進入することにより、ハウジング側ロック部２６の撓み動作が規制されるため、仮に、電線カバー７０がハウジング１０から離脱する方向の外力が作用しても、その外力に応じてハウジング側ロック部２６が安易に撓み変形させられることがなく、ハウジング１０に対する電線カバー７０の保持状態が良好に維持される。その結果、電線カバー７０がハウジング１０側から不用意に外れるのが防止される。とくに、実施例１の場合、閉止位置における電線カバー７０に開放位置への外力が作用すると、回動中心部２５、４７、７６を中心として電線カバー７０が開放位置に戻り易いという事情があるため、規制部材９０によってハウジング側ロック部２６の撓み動作を規制して電線カバー７０の外れ止めをなすメリットは大である。
【００３６】
また、実施例１によれば、カバー側回動中心部７６がホルダ側回動中心部４７及びハウジング側回動中心部２５に支持された状態で電線カバー７０が回動させられ、ホルダ側回動中心部４７がホルダ４０の嵌合壁４２に一体に設けられ、つまり、電線カバー７０を支持する構造がホルダ４０と隙間なく設けられているから、スペース効率に優れ、コネクタが大型化するのを防止することができる。
【００３７】
また、電線カバー７０の回動軸上の一方にホルダ側回動中心部４７が設けられ、他方にハウジング側回動中心部２５が設けられているため、仮に、ハウジング部１１の後面側に対してホルダ４０が回動軸の中央を境として正規とは逆向きの姿勢で取り付けられようとすると、ホルダ側回動中心部４７とハウジング側回動中心部２５とが互いに干渉して、ホルダ４０のそれ以上の取り付け動作が規制される。その結果、ホルダ４０の誤組み付けが防止される。さらに、レバー収容室２０の周壁１９がハウジング側回動中心部２５によって補強されるため、レバー収容室２０に収容されるレバーの収容状態が安定する。
【００３８】
＜他の実施例＞
本発明は上記記述及び図面によって説明した実施例に限定されるものではなく、例えば次のような態様も本発明の技術的範囲に含まれる。
（１）実施例１とは逆に、カバー側ロック部が撓み変形するようになっており、カバー側ロック部の撓み空間に規制部材が進入してカバー側ロック部の撓み動作が規制される構成であってもよい。
（２）規制部材が電線カバー又はハウジングと一体に連結された構造であってもよい。
【符号の説明】
【００３９】
１０…ハウジング
１１…ハウジング部
１６…キャビティ
１９…周壁
２０…レバー収容室
２４…ハウジング側係止部
２５…ハウジング側回動中心部
２６…ハウジング側ロック部
２８…受け部
３２…挿入空間
４０…ホルダ
４３…貫通孔
４７…ホルダ側回動中心部
６０…シール部材
６１…シール孔
７０…電線カバー
７３…カバー側ロック部
７６…カバー側回動中心部
９０…規制部材
１１０…端子金具
２００…電線
【図１】
0006008252.tif 000002
【図２】
0006008252.tif 000003
【図３】
0006008252.tif 000004
【図４】
0006008252.tif 000005
【図５】
0006008252.tif 000006
【図６】
0006008252.tif 000007
【図７】
0006008252.tif 000008
【図８】
0006008252.tif 000009
【図９】
0006008252.tif 000010
【図１０】
0006008252.tif 000011
【図１１】
0006008252.tif 000012